(57)【要約】【課題】装置構成を簡便にしつつ、超高解像度の映像を表示することができるマルチディスプレイ装置に適用される表示装置及び表示制御方法を提供すること。【解決手段】本発明の一態様は、複数の表示装置を配列して一つの表示画面を構成するマルチディスプレイ装置に含まれる表示装置であって、表示対象の画像を複数の領域ごとに分割した分割画像を入力する入力部と、前記入力部により入力された前記分割画像を複数の部分画像に分割し、前記表示画面における自体の位置の情報を含む識別番号に基づいて、前記複数の部分画像の中から前記識別番号に対応する位置の部分画像を切り出して表示部に表示させる制御部と、を備える、表示装置である。【選択図】図１
2020016841.tif 000002
【特許請求の範囲】
【請求項１】
複数の表示装置を配列して一つの表示画面を構成するマルチディスプレイ装置に含まれる表示装置であって、
表示対象の画像を複数の領域ごとに分割した分割画像を入力する入力部と、
前記入力部により入力された前記分割画像を複数の部分画像に分割し、前記表示画面における自体の位置の情報を含む識別番号に基づいて、前記複数の部分画像の中から前記識別番号に対応する位置の部分画像を切り出して表示部に表示させる制御部と、を備える、
表示装置。
【請求項２】
前記入力部は、前記複数の領域を表示するように前記複数の領域毎にデイジーチェーン接続されている所定台数の前記表示装置に前記領域の画像を前記領域毎に選択して入力する選択部を備える、
請求項１に記載の表示装置。
【請求項３】
複数の表示装置を配列して一つの表示画面を構成するマルチディスプレイ装置に含まれる表示装置であって、
表示対象の画像を入力する入力部と、
前記表示画面における自体の位置の情報を含む識別番号に基づいて、前記画像を複数の領域に分割し、前記複数の領域の中から一つの領域を選択し、選択した領域を複数の部分画像に分割し、前記複数の部分画像の中から前記識別番号に対応する位置の部分画像を表示部に表示させる制御部と、を備える、
表示装置。
【請求項４】
前記表示部は、領域毎に設定された識別番号に応じて領域に応じて分割された画像を選択するスイッチを備える
請求項３に記載の表示装置。
【請求項５】
前記識別番号は、前記複数の領域に対応する番号と、前記表示画面における前記表示装置の位置を示す番号とを含む、
請求項１から４のうちいずれか１項に記載の表示装置。
【請求項６】
前記識別番号は、前記複数の領域に対応する番号と、前記表示画面における前記複数の領域に対応する領域における前記表示装置の位置を示す番号とを含む、
請求項１から４のうちいずれか１項に記載の表示装置。
【請求項７】
複数の表示装置を配列して一つの表示画面を構成するマルチディスプレイ装置に含まれる表示装置が、
表示対象の画像を複数の領域ごとに分割した分割画像を入力し、
入力した前記分割画像を複数の部分画像に分割し、前記表示画面における自体の位置の情報を含む識別番号に基づいて、前記複数の部分画像の中から前記識別番号に対応する位置の部分画像を切り出して表示部に表示させる、
表示制御方法。
【請求項８】
複数の表示装置を配列して一つの表示画面を構成するマルチディスプレイ装置に含まれる表示装置が、
表示対象の画像を入力する入力し、
前記表示画面における自体の位置の情報を含む識別番号に基づいて、前記画像を複数の領域に分割し、前記複数の領域の中から一つの領域を選択し、選択した領域を複数の部分画像に分割し、前記複数の部分画像の中から前記識別番号に対応する位置の部分画像を表示部に表示する、
表示制御方法。
【発明の詳細な説明】
【技術分野】
【０００１】
本発明は、複数の表示装置を組み合わせて全体を一つの画面として機能させるマルチディスプレイ装置に適用される表示装置及び表示制御方法に関する。
【背景技術】
【０００２】
複数の映像表示装置を組み合わせて一つの映像画面を構成し、映像を拡大して表示させるマルチディスプレイ装置が知られている（例えば、特許文献１参照）。このマルチディスプレイ装置において、例えば映像表示装置同志をデイジーチェーン接続して、拡大表示する対象の画像を分割して、各表示装置に分割した画像をそれぞれの位置に対応付けて表示させるように構成すると、入力映像信号を分割する分割装置を別途に用いることなく、既存の表示装置を複数台並置するだけでマルチ画面表示装置が構成されることも知られている。（例えば特許文献２参照）
【先行技術文献】
【特許文献】
【０００３】
【特許文献１】特開２０１５−１７２７０７号公報
【特許文献２】特開２００３−２０８１４５号公報
【発明の概要】
【発明が解決しようとする課題】
【０００４】
映像表示装置を複数台並べた構成のマルチディスプレイ装置で１つの映像を大画面で表示する場合、１つの同じ映像を複数台の映像表示装置へ入力し、それぞれの映像表示装置において、映像を切り出してそれぞれ割り振られた位置に対応する映像の一部分を表示する。これにより、複数台の映像表示装置を並べて構成されたマルチディスプレイ装置は、簡単な機器構成であるのにもかかわらず、外部機器を使用せずに複数台の映像表示装置をあたかも一つの表示装置のように構成して１つの映像を表示することができる。
【０００５】
一方、近年、４Ｋや８Ｋなどの超高解像度化された映像信号に対応する映像表示装置において、周波数やメモリ容量の限界があるために１つのデバイスにおける処理では対応できず、映像を２つや４つなどに分割して入力し、分割した入力データを取り込んだ後に映像を合成して表示する場合がある。
【０００６】
そうすると、４Ｋや８Ｋなどの超高解像度の表示装置でマルチ映像表示装置を構成しようとした場合、上述したようにそれぞれの映像表示装置には周波数やメモリ容量の限界があるため、４Ｋや８Ｋの１つの同じ映像を複数台の映像表示装置へ入力した後、それぞれの映像表示装置でそれぞれ割り振られた位置の映像を切り出すことが難しいという問題がある。
【０００７】
超高解像度のマルチ映像表示装置では、通常は外部装置などを設けてあらかじめ映像を分割し、外部装置から分割した映像の位置に応じた段に配置されたそれぞれの映像表示装置に対して対応する分割した映像のデータを分配する。このため、このような構成で超高解像度のマルチディスプレイを実現した場合、切り出す映像位置を全体映像から直接指定することが困難となると共に、機器構成が複雑で高額なものとなる。
【０００８】
本発明は、このような事情を考慮してなされたものであり、装置構成を簡便にしつつ、超高解像度の映像を表示することができるマルチディスプレイ装置に適用される表示装置及び表示制御方法を提供することを目的とする。
【課題を解決するための手段】
【０００９】
本発明の一態様は、複数の表示装置を配列して一つの表示画面を構成するマルチディスプレイ装置に含まれる表示装置であって、表示対象の画像を複数の領域ごとに分割した分割画像を入力する入力部と、前記入力部により入力された前記分割画像を複数の部分画像に分割し、前記表示画面における自体の位置の情報を含む識別番号に基づいて、前記複数の部分画像の中から前記識別番号に対応する位置の部分画像を切り出して表示部に表示させる制御部と、を備える、表示装置である。
【００１０】
本発明の一態様は、複数の表示装置を配列して一つの表示画面を構成するマルチディスプレイ装置に含まれる表示装置であって、表示対象の画像を入力する入力部と、前記表示画面における自体の位置の情報を含む識別番号に基づいて、前記画像を複数の領域に分割し、前記複数の領域の中から一つの領域を選択し、選択した領域を複数の部分画像に分割し、前記複数の部分画像の中から前記識別番号に対応する位置の部分画像を拡大して表示部に表示させる制御部と、を備える、表示装置である。
【００１１】
本発明の一態様は、複数の表示装置を配列して一つの表示画面を構成するマルチディスプレイ装置に含まれる表示装置が、表示対象の画像を複数の領域ごとに分割した分割画像を入力し、入力した前記分割画像を複数の部分画像に分割し、前記表示画面における自体の位置の情報を含む識別番号に基づいて、前記複数の部分画像の中から前記識別番号に対応する位置の部分画像を切り出して表示部に表示させる、表示制御方法である。
【００１２】
本発明の一態様は、複数の表示装置を配列して一つの表示画面を構成するマルチディスプレイ装置に含まれる表示装置が、表示対象の画像を入力する入力し、前記表示画面における自体の位置の情報を含む識別番号に基づいて、前記画像を複数の領域に分割し、前記複数の領域の中から一つの領域を選択し、選択した領域を複数の部分画像に分割し、前記複数の部分画像の中から前記識別番号に対応する位置の部分画像を拡大して表示部に表示する、表示制御方法である。
【発明の効果】
【００１３】
本発明にかかる表示装置及び表示制御方法によると、装置構成を簡便にしつつ、超高解像度の映像を表示することができる。
【図面の簡単な説明】
【００１４】
【図１】第１実施形態に係るマルチディスプレイ装置に適用される表示装置の構成の一例を示す図である。
【図２】表示装置に表示される画像を領域と表示装置の位置に対応付けた関係を示す図である。
【図３】第２実施形態に係る表示装置を示す図である。
【図４】１６台の表示装置が並べられて表示画面を構成する一例を示す図である。
【図５】比較例に係る表示装置を示す図である。
【図６】比較例に係る表示装置のケーブルの配線の状態を示す図である。
【図７】表示装置のケーブルの配線の状態を示す図である。
【図８】表示装置のＩＤ番号の設定の一例を示す図である。
【図９】表示装置によりＩＤ番号に基づいて部分画像を表示する一例を示す図である。
【図１０】変形例に係る表示装置の構成を示す図である。
【図１１】変形例に係る表示装置が部分画像を拡大して表示する状態の一例を示す概念図である。
【図１２】比較例に係る表示装置の構成を示す図である。
【図１３】第３実施形態に係る表示装置を示す図である。
【図１４】第３実施形態に係るＩＤ番号の設定の一例を示す図である。
【図１５】第３実施形態に係る部分画像を拡大して表示する状態を示す概念図である。
【図１６】表示装置の処理の流れの一例を示すフローチャートである。
【図１７】表示装置の他の処理の流れの一例を示すフローチャートである。
【発明を実施するための形態】
【００１５】
以下、図面を参照しつつ、本発明の実施形態の表示装置について説明する。
【００１６】
［第１実施形態］
図１は、本発明の第１実施形態に係るマルチディスプレイ装置１に適用される表示装置１０の構成の一例を示す図である。マルチディスプレイ装置１は、複数の表示装置１０を配列して一つの表示画面２を構成するシステムである。
【００１７】
マルチディスプレイ装置１は、４Ｋや８Ｋなど超解像度の映像を表示画面２に拡大して表示する。マルチディスプレイ装置１は、映像のデータが入力される際に、各表示装置１０において、表示対象の映像のデータが２つや４つなどに分割されて処理される。以下、映像を表示する処理については、映像に含まれるフレーム画像を表示する画像処理として適宜説明する。
【００１８】
表示画面２は、例えば、ｍ個（ｍ：自然数）の表示装置１０がマトリクス状に配列されている。図１の例では、１６個の表示装置１０が４×４のマトリクス状に配置されている。１６個の表示装置１０のそれぞれには、位置に対応した識別番号（例えば、１〜１６）が設定されている。表示画面２は、ｎ個（図１の例では２個）の領域ａ，ｂに分割されている。
【００１９】
領域ａ，ｂには、例えば、表示装置１０が所定の個数分（例えば、８個）含まれる。１６個の表示装置１０のそれぞれには、領域に対応した識別番号（例えば、ａ、ｂ）が設定されている。即ち、識別番号は、領域の情報と表示画面２における位置の情報を含む。領域ａに含まれる複数の表示装置１０は、通信において数珠つなぎ状にデイジーチェーン接続されている。領域ｂに含まれる複数の表示装置１０も、デイジーチェーン接続されている。
【００２０】
表示画面２には、一つの表示装置１０に表示される画像ＩＭ（図２参照）が拡大して表示される。画像ＩＭは、例えば、４Ｋや８Ｋなどの超高解像度の映像に含まれるフレーム画像である。画像ＩＭは、ｍ個の部分画像ｊに分割される。ｍ個の部分画像ｊには、表示画面２のｍ個の表示部４０の位置に対応した識別番号が設定される。また、画像ＩＭは、ｎ個（ｎ：ｎ＜ｍを満たす自然数）の領域に分割される。画像ＩＭのデータは、後述のように領域ごとに分割されて表示装置１０において処理される。
【００２１】
次に、表示装置１０の構成について説明する。表示装置１０は、例えば、入力信号を入力する入力部２０と、画像を表示する表示部４０と、入力部２０に入力された入力信号に基づいて表示画像を生成し、表示部４０に表示させる制御部３０とを備える。
【００２２】
入力部２０は、表示対象の画像ＩＭを例えば、複数の領域ａ，ｂごとに分割した分割画像を入力する。
【００２３】
制御部３０は、入力部２０より入力された分割画像を複数の部分画像ｊに分割し、表示画面における自体の位置の情報を含む識別番号に基づいて、複数の部分画像の中から識別番号に対応する位置の部分画像を切り出して表示部４０に表示させる。制御部３０は、例えば、ＣＰＵ（Central Processing Unit）などのプロセッサが、記憶部に記憶されたプログラム（ソフトウェア）を実行することで実現される。また、これらの構成要素の機能のうち一部または全部は、ＬＳＩ、ＡＳＩＣ、ＦＰＧＡ等のハードウェア（回路部：circuitryを含む）によって実現されていてもよいし、ソフトウェアとハードウェアの協働によって実現されていてもよい。
【００２４】
表示部４０は、例えば、例えば、ＬＣＤ（Liquid Crystal Display）や有機ＥＬ（Electroluminescence）ディスプレイによって実現される。
【００２５】
制御部３０は、分割された画像ＩＭに含まれる複数の部分画像ｊの中から識別番号に対応する部分画像ｊを拡大して表示部４０に表示させる。
【００２６】
上述したように、表示装置１０によれば、入力する画像のデータを分割して処理することにより、装置構成を簡便にしつつ、超高解像度の映像を表示することができる。
【００２７】
［第２実施形態］
次に、表示装置１０の具体的な装置構成を第２実施形態として説明する。以下の説明では、第１実施形態と同一の構成については同一の名称および符号を用い、重複する説明については適宜省略する。
【００２８】
図３は、第２実施形態に係る表示装置１０の構成の一例を示す図である。入力部２０と、制御部３０と、表示部４０とを備える。
【００２９】
入力部２０は、切替器２１と、フレームメモリ２２とを備える。切替器２１は、入力信号を切り替える回路である。フレームメモリ２２は、映像を一時保存するビデオメモリとビデオメモリへの映像信号の書込み処理や読出し処理を制御するための回路である。フレームメモリ２２は、例えば、ＳＳＤなどのフラッシュメモリである。フレームメモリ２２は、切替器２１から入力された同じ入力信号が入力される第１フレームメモリ２３と第２フレームメモリ２４とを備える。
【００３０】
表示部４０は、スケーラ４１と、駆動回路４５と、表示パネル４８とを備える。スケーラ４１は、映像を拡大または縮小する回路である。スケーラ４１は、第１フレームメモリ２３から出力された映像信号を入力する第１スケーラ４２と、第２フレームメモリ２４から出力された映像信号を入力する第２スケーラ４３とを備える。
【００３１】
駆動回路４５は、映像信号を表示パネル４８に表示するための回路である。駆動回路４５は、第１スケーラ４２から出力された映像信号を入力する第１駆動回路４６と、第２スケーラ４３から出力された映像信号を入力する第２駆動回路４７とを備える。
【００３２】
表示パネル４８は、液晶表示素子等の格子状の固定画素からなる表示素子である。表示パネル４８は、例えば、液晶ディスプレイや有機ＥＬディスプレイによって実現される。制御部３０は、装置全体を制御する。
【００３３】
図４は、１６台の表示装置１０が並べられた表示画面２の構成の一例を示す図である。以下、表示画面２は、１６台の表示装置１０を縦４台×横４台並べて画像を表示する場合について説明する。
【００３４】
各表示装置１０は、表示画面２において自体の位置に応じて画像の一部分を表示するため、表示画面２における位置と表示すべき画像の一部分を対応付けたＩＤ番号（識別番号）が設定される。
【００３５】
それぞれの表示装置１０は、自体に割り当てられたＩＤ番号に基づいて、表示画面２で表示される全体の画像のうち、それぞれ指定された画像の一部分を表示する。ＩＤ番号の設定方法については、後述する。ＩＤ番号は、例えば、手動で各表示装置１０に設定される。他の形態として、外部の制御装置をＬＡＮケーブルやシリアルケーブルで表示装置１０に接続し、ＩＤ番号を自動で設定するようにしてもよい。
【００３６】
各表示装置１０が表示する画像は、例えば、表示対象の全体の画像の１／１６のサイズの部分画像である。各表示装置１０は、画像を１／１６のサイズで切り出し、ＩＤ番号に対応する部分画像を表示する。１番のＩＤ番号が設定された表示装置１０は、全体の画像（画像）から左上端の１番の位置に対応する１／１６のサイズの画像（部分画像）を切り出して表示する。
【００３７】
例えば、２番の位置に配置された表示装置１０は、ＩＤ番号を参照して２番目の位置に関する情報を取得し、全体の画像において左上の左から２番目の位置の１／１６のサイズの部分画像を切り出して表示する。同じように、１６台の表示装置１０は、割り当てられたＩＤ番号の位置に対応して入力画像を切り出し、拡大して全画面に表示する。
【００３８】
しかしながら、超高解像の画像を入力する場合、入力デバイスの性能の限界から、画像を２つや４つなど複数に分けて入力しなければならない場合がある。それぞれの画像を切り出す場合、入力段が複数に分かれていると、全体画像から直接指定することができず、切り出し位置とサイズの指定が難しくなる。例えば、入力段が２つ必要な場合、それぞれに切り出し位置とサイズを指定する必要がある。
【００３９】
比較例として、図５に示す装置によって、超高解像度画像のデータを２つのデータに分割して入力する必要がある場合、分割したデータをそれぞれ入力するためにケーブルを２本ずつそれぞれ表示装置に接続する必要がある。この比較例において表示装置が１６台でマルチディスプレイ装置を構成する場合、図６に示されるように、３２本のケーブルをつなぐ必要がある。そして、これらの複数の表示装置をデイジーチェーン接続する場合、２本ずつのケーブルを数珠つなぎに接続する必要がある。
【００４０】
これに対して、図７に示されるように、表示装置１０が適用されるマルチディスプレイ装置１は、左側または右側の領域のそれぞれに半分の領域の部分画像をそれぞれ１本のケーブルで入力し、の各表示装置１０間は１本のケーブルでつないでデイジーチェーン接続をすることで、ケーブルの本数を１６本にすることができる。
【００４１】
表示装置１０は、単体（１台）で使用する場合には、入力部に２つの入力を切り替える切替器２１によって、入力経路を１つ選択し、後段の２つの第１フレームメモリ２３、第２フレームメモリ２４へ同じ画像を入力する（図１参照）。制御部３０による制御に基づいて、第１フレームメモリ２３から第１スケーラ４２により左半分の画像が読み出され、第２フレームメモリ２４から第２スケーラ４３により右半分の画像が読み出される。
【００４２】
制御部３０による制御に基づいて、第１スケーラ４２は、第１フレームメモリ２３から読み出した画像を表示パネル４８の解像度に合わせて左半分のサイズに拡大または縮小する。第２スケーラ４３は、第２フレームメモリ２４から読み出した画像を表示パネル４８の解像度に合わせて右半分のサイズに拡大または縮小する。
【００４３】
制御部３０による制御に基づいて、第１駆動回路４６は、第１スケーラ４２から入力された左半分の画像を表示パネル４８に表示させる。制御部３０による制御に基づいて、第２駆動回路４７は、第２スケーラ４３から入力された右半分の画像を表示パネル４８に表示させる。
【００４４】
表示装置１０を複数台（例えば１６台）配列し、マルチディスプレイ装置１を構成する場合、左半分の画像のデータと右半分のデータとを個別に入力する。２分割された画像のうち左側のデータを入力するケーブルをaとし、右側のデータを入力するケーブルをｂとすると、マルチディスプレイ装置１のケーブルaを左側の８台に接続して左側の画像のデータを入力し、ケーブルｂを右側の８台に接続して右側の分割画像のデータを入力する。
【００４５】
各表示装置１０においてＩＤ番号に基づいて、切替器２１が自体の位置に対応してケーブルａまたはケーブルｂから左側の半分の画像データまたは右側の半分の画像データが入力された後、制御部３０は、半分の画像のみを処理する。即ち、左側の８台の表示装置１０の制御部３０は、左側の分割画像を処理し、右側の８台の表示装置１０の制御部３０は、右側の分割画像を処理する。
【００４６】
各制御部３０は、ＩＤ番号に基づいて、それぞれ全体の左側または右側の１／２の大きさの分割画像から８分の１の大きさの部分画像を切り出す。４Ｋ画像の場合、制御部３０は、全体画像から部分画像を切り出す場合のように３８４０×２１６０のサイズの画像から９６０×５４０のサイズの画像を切り出すのではなく、半分の１９２０×２１６０のサイズの画像から９６０×５４０のサイズの画像を切り出して表示パネル４８に表示させる。
【００４７】
次にＩＤ番号の設定について説明する。ＩＤ番号は、例えば、図８に示されるパターンにより設定される。表示画面２における各表示装置１０の位置に対して順に１−１６の番号が設定される。更に１−１６の番号は、ａ１／ｂ１−ａ１６／ｂ１６に置き換えられて設定される。分割された画像の領域ａには、ＩＤ番号（１ａ，２ａ，５ａ，６ａ，９ａ，１０ａ，１３ａ，１４ａ）が対応して設定される。表示画面２の左側に配置された８台の表示装置１０において、切替器２１は、領域ａ側（左側）の画像を選択するように設定される。
【００４８】
分割された画像の領域ｂには、ＩＤ番号（３ｂ，４ｂ，７ｂ，８ｂ，１１ｂ，１２ｂ，１５ｂ，１６ｂ）が対応して設定される。表示画面２の右側に配置された８台の表示装置１０において、切替器２１は、領域ｂ側（右側）の画像を選択するように設定される。
【００４９】
例えば、図９に示されるように、１の位置の表示装置１０において、制御部３０は、ＩＤ番号１ａに基づいて切替器２１により入力された左側のａの領域の１／２の分割画像から１の位置に対応する位置において８分の１の大きさの部分画像を切り出す。
【００５０】
同様に、１６の位置の表示装置１０において、制御部３０は、ＩＤ番号１６ｂに基づいて切替器２１により入力された右側のｂの領域の１／２の分割画像からＩＤ番号１６の位置に対応する位置において８分の１の大きさの部分画像を切り出す。
【００５１】
表示装置１０において表示される画像は、画像入力が４Ｋ画像で画像表示装置の表示パネル４８の解像度がＦＨＤの場合、３８４０×２１６０の全体のサイズの画像から９６０×５４０を切り出して１９２０×１０８０のサイズの画像へ拡大するのではなく、１９２０×２１６０の半分のサイズの画像から９６０×５４０のサイズの画像を切り出し、１９２０×１０８０のサイズへ拡大する。
【００５２】
第２実施形態の変形例として、表示装置に入力される画像は、予め分割されて入力されるのではなく、表示装置内部で分割される処理が行われてもよい。
【００５３】
図１０に示されように、変形例に係る表示装置は、表示パネルの解像度が半分で超高解像度の画像を画像表示装置内部で、２分割して処理する。表示装置は、例えば、入力部から入力された全体画像を第１フレームメモリおよび第２フレームメモリで取り込み、次の第１スケーラ及び第２スケーラによって、画像をそれぞれ左側または右側の半分の大きさに縮小し、切替器によって第１スケーラ及び第２スケーラの画像を読み出して合成し、次の駆動回路へ入力し、表示パネルへ画像を表示する。
【００５４】
変形例に係る表示装置によりマルチディスプレイ装置１を構成する場合、それぞれの表示装置が受け持つ画像位置とサイズを割り当てる。
【００５５】
例えば、１６台の表示装置１０によりマルチディスプレイ装置１を構成する場合、各表示装置１０には、ＩＤ番号が割り当てられる（図１４参照）。制御部３０は、例えば、第１スケーラ及び第２スケーラの画像を読み出して合成された画像を表示パネル４８へ画像を表示する際、１や１６に対応するＩＤ番号に基づいて、部分画像を切り出し、表示パネル４８に拡大表示させる。
【００５６】
図１１に示されるように、例えば、制御部３０は、画像全体からＩＤ番号１や１６に対応する部分画像を切り出し、拡大表示させる。１から１６までのＩＤ番号は、手動で各表示装置１０に設定することができる。ＩＤ番号は、外部のＰＣとＬＡＮケーブルやシリアルケーブルを接続し、自動で割り振るようにしてもよい。
【００５７】
変形例にかかる表示装置において表示される画像は、画像入力が４Ｋ画像で表示装置１０Ａの表示パネル４８の解像度がＦＨＤ（Ｆｕｌｌ  ＨＤ）の場合、３８４０×２１６０の全体のサイズの画像から９６０×５４０のサイズの画像を切り出して１９２０×１０８０のサイズへ拡大する。
【００５８】
図１２に示されるように、比較例に係る表示装置は、入力部では第１フレームメモリおよび第２フレームメモリで全画像を取り込み、次のスケーラで２つ分の全画像を取り込み後、画像を縮小し、次の駆動回路へ入力し、表示パネルへ画像を表示する。この場合スケーラで全画面のデータを取り込むため、大きな容量のメモリが必要になる。
【００５９】
上述したように、第２実施形態の表示装置１０によれば、表示対象の画像を分割して入力することにより装置構成を簡便にしつつ、超高解像度の映像を表示することができる。
【００６０】
［第３実施形態］
以下、第３実施形態に係るマルチディスプレイ装置１に適用される表示装置１０Ａについて説明する。第３実施形態では、表示装置１０Ａの内部で表示対象の画像を分割して表示対象の画像を表示画面２に表示する処理を行う。以下の説明では、上記実施形態と同一の構成については同一の名称および符号を用い、重複する説明については、適宜省略する。
【００６１】
図１３に示されるように、第３実施形態に係る表示装置１０Ａは、第１フレームメモリ２３、第２フレームメモリ２４のいずれかを選択して読み出した画像をスケーラ４１に入力するスイッチＳＷを備える。第１フレームメモリ２３、第２フレームメモリ２４およびスイッチＳＷを合わせたものが入力部２０の一例である。第１フレームメモリ２３、第２フレームメモリ２４に同じ超高解像度の画像の入力信号が入力される。
【００６２】
表示装置１０Ａは、単体（１台）で使用する場合には、超高解像度の画像を第１フレームメモリ２３および第２フレームメモリ２４に取り込む。その後、制御部３０は、スイッチＳＷに、第１フレームメモリ２３、第２フレームメモリ２４のいずれかを選択させて、左半分のａ領域または右半分のｂ領域いずれかの半分の画像のみを後段のスケーラ４１へ入力させる。
【００６３】
例えば、スイッチＳＷが第１フレームメモリ２３を選択した場合、左半分の領域の画像がスケーラ４１に入力される。スイッチＳＷが第２フレームメモリ２４を選択した場合、右半分の領域の画像がスケーラ４１に入力される。
【００６４】
制御部３０は、スケーラ４１に、スイッチＳＷの切替えによって第１フレームメモリ２３から読み出させた画像を表示パネル４８の解像度に合わせて左半分のサイズに拡大または縮小させる。制御部３０は、駆動回路４５にスケーラ４１から入力された左半分の画像を表示パネル４８に表示させる。
【００６５】
制御部３０は、スケーラ４１に、スイッチＳＷの切替えによって第２フレームメモリ２４から読み出した画像を表示パネル４８の解像度に合わせて右半分のサイズに拡大または縮小させる。制御部３０は、駆動回路４５にスケーラ４１から入力された右半分の画像を表示パネル４８に表示させる。
【００６６】
複数の表示装置１０Ａを配列してマルチディスプレイ装置１を構成する場合、表示画面２において表示対象の画像を２つの領域に分割し、領域毎に配置された所定台数の表示装置１０Ａ毎に分割された画像をそれぞれ表示させる。
【００６７】
次に表示装置１０ＡのＩＤ番号の設定について説明する。図１４に示されるように、２分割された表示対象の画像のうち左の分割画像の分割領域をａ、右の分割画像の分割領域をｂとする。この場合、ＩＤ番号は、１−１６を左半分の領域ａと右半分の領域ｂとに分割し、ａ１−ａ８とｂ１−ｂ８へ置き換えて設定される。
【００６８】
ａ１−ａ８とｂ１−ｂ８とのＩＤ番号は、例えば、手動で各表示装置１０Ａに設定してもよいし、外部のＰＣとＬＡＮケーブルやシリアルケーブルを接続し、マルチディスプレイ装置１の構成４×４という情報と、入力画像の分割数が２であるという情報を入力することにより、各表示装置１０Ａに対してＩＤ番号ａ１−ａ８あるいはＩＤ番号ｂ１−ｂ８を自動で割り振るようにしてもよい。
【００６９】
マルチディスプレイ装置１の左側の８台の表示装置１０Ａは、スイッチＳＷによってそれぞれａの領域に対応する分割画像を選択するように設定され、マルチディスプレイ装置１の右側の８台の表示装置１０Ａは、それぞれｂの領域に対応する分割画像を選択するように設定される。
【００７０】
入力部２０において第１フレームメモリ２３および第２フレームメモリ２４は、表示対象の画像を入力する。制御部３０は、表示画面における表示装置１０Ａの位置の情報を含むＩＤ番号に基づいて、第１フレームメモリ２３および第２フレームメモリ２４に記憶された全体画像を例えば、ａまたはｂの左右１／２の２つの領域に分割し、スイッチＳＷを制御して第１フレームメモリ２３または第２フレームメモリ２４から２つの領域に対応する２つの分割画像の内の１つの分割画像を選択させる。
【００７１】
図１５に示されるように、例えば、制御部３０は、スイッチＳＷにより選択されたａまたはｂの領域に対応する分割画像から自体のＩＤ番号（例えば、ａ１あるいはｂ８）の位置に対応するように分割画像から８分の１の大きさの部分画像を切り出す。
【００７２】
制御部３０は、例えば、スイッチＳＷにより選択されたａまたはｂに対応する分割画像を更にＩＤ番号のａ１〜ａ８やｂ１〜ｂ８に対応する複数の部分画像に分割し、スケーラ４１に入力して表示パネル４８の解像度に合わせてサイズを調整する。
【００７３】
制御部３０は、スケーラ４１によりサイズを調整した画像を複数の部分画像の中からＩＤ番号に対応する位置の部分画像を駆動回路４５に入力し、駆動回路４５に表示パネル４８に表示させる。
【００７４】
表示装置１０Ａにおいて表示される画像は、画像入力が４Ｋ画像で画像表示装置の表示パネル４８の解像度がＦＨＤの場合、３８４０×２１６０の全体のサイズの画像から９６０×５４０のサイズの画像を切り出して１９２０×１０８０のサイズへ拡大するのではなく、１９２０×２１６０の半分のサイズの画像から９６０×５４０のサイズの画像を切り出し、１９２０×１０８０のサイズへ拡大する。
【００７５】
次に、マルチディスプレイ装置１に適用される表示装置１０の処理の流れについて説明する。図１６は、表示装置１０の処理の流れの一例を示すフローチャートである。
【００７６】
入力部２０に表示対象の画像を複数の領域ごとに分割した分割画像を入力する（ステップＳ１００）。制御部３０は、ＩＤ番号に基づいて、分割した分割画像からＩＤ番号に対応した位置の部分画像を切り出す（ステップＳ１０２）。制御部３０は、切り出した部分画像を拡大して表示パネル４８に表示させる（ステップＳ１０４）。
【００７７】
次に、マルチディスプレイ装置１に適用される表示装置１０Ａの他の処理の流れについて説明する。図１７は、表示装置１０Ａの他の処理の流れの一例を示すフローチャートである。
【００７８】
入力部２０に表示対象の画像を入力する（ステップＳ２００）。制御部３０は、ＩＤ番号に基づいて、入力した画像を分割し、分割した分割画像からＩＤ番号に対応した位置の部分画像を切り出す（ステップＳ２０２）。制御部３０は、切り出した部分画像を拡大して表示パネル４８に表示させる（ステップＳ２０４）。
【００７９】
上述した実施形態によれば、装置構成を簡便にしつつ、超高解像度の映像を表示することができるマルチディスプレイ装置に適用される表示装置及び表示制御方法を提供することができる。
【００８０】
以上、本発明を実施するための形態について実施形態を用いて説明したが、本発明はこうした実施形態に何等限定されるものではなく、本発明の要旨を逸脱しない範囲内において種々の変形及び置換を加えることができる。
【００８１】
例えば、上記実施形態では、表示装置を縦４台×横４台に配列して表示画面を構成するマルチディスプレイ装置を例示したが、他の配置構成により表示画面を構成してもよい。また、上記実施形態では、表示対象の画像を２分割する処理を例示したが、ｎ分割する処理を行ってもよい。
【００８２】
例えば、マルチディスプレイ装置がｍ台の表示装置で構成される場合、ｍ台の表示装置が表示する画像は表示対象の画像の１／ｍの大きさの画像を拡大して表示する。表示対象の画像がｎ分割される場合、画像はｎ個の領域の分割画像に分割され、ｍ個のＩＤ番号が設定されることにより、ｎ個の領域におけるｍ番目のｍ／ｎの番号が設定される。そして、ｎ番目の領域の分割画像からの１／ｍの大きさの画像が切り出され、表示パネルの解像度へ拡大されて表示される。
【００８３】
通常、ｎ個に分割され画像が入力された場合、ｎ個の画像を取り込んだ後、ｎ個の画像を合成し全体画像を作りあげた後、指定の画像位置とサイズ切り出す必要があるため、入力画像全部の画像サイズを処理する必要がある。
【００８４】
これに対して表示対象の画像をｎ分割する場合は、それぞれの表示装置単体（１台）では入力段でｎ個にわけることにより、１／ｎの画像サイズを処理すればよく、小さな回路規模で装置構成を簡略化すると共に、簡単な処理でマルチディスプレイ装置を実現することができる。また、上記実施形態では左右方向に画像を分割しているが、上下方向に分割するものであってもよい。
【符号の説明】
【００８５】
１…マルチディスプレイ装置
２…表示画面
１０、１０Ａ…表示装置
２０…入力部
２１…切替器
２２…フレームメモリ
２３…第１フレームメモリ
２４…第２フレームメモリ
３０…制御部
４０…表示部
４１…スケーラ
４２…第１スケーラ
４３…第２スケーラ
４５…駆動回路
４６…第１駆動回路
４７…第２駆動回路
４８…表示パネル
ＩＭ…画像
ｊ…部分画像
ＳＷ…スイッチ
【図１】
2020016841.tif 000003
【図２】
2020016841.tif 000004
【図３】
2020016841.tif 000005
【図４】
2020016841.tif 000006
【図５】
2020016841.tif 000007
【図６】
2020016841.tif 000008
【図７】
2020016841.tif 000009
【図８】
2020016841.tif 000010
【図９】
2020016841.tif 000011
【図１０】
2020016841.tif 000012
【図１１】
2020016841.tif 000013
【図１２】
2020016841.tif 000014
【図１３】
2020016841.tif 000015
【図１４】
2020016841.tif 000016
【図１５】
2020016841.tif 000017
【図１６】
2020016841.tif 000018
【図１７】
2020016841.tif 000019